(57)【特許請求の範囲】
【請求項１】
外形円形で内側に通過型光ケーブルおよび分岐用光ケーブルを挿通させる光ケーブル挿通部が形成されたエンドプレートと、
このエンドプレートの片側に一体的に形成されて、エンドプレートの中心軸方向と交差する方向に出し入れ自在に複数の融着トレーを積層するようになされ、この融着トレーに光ケーブルの接続部および余長部を収納する光ケーブル収納部と、
内部に前記光ケーブル収納部が収容される有底円筒であって、開口端部に前記エンドプレートとほぼ同径のフランジを形成したカバーと、
前記カバーのフランジを前記エンドプレートにシール材を介して当接した後、断面コ字状をしたリングカバーにより外周部を覆い、次にリングカバーを周方向に締めつけてカバーとエンドプレートを一体化する一体化手段と、
二枚の板を蝶番により連結して折り畳み可能に構成した作業用トレーと、
を備え、
作業用トレーの一方の板は光ケーブルの接続作業時または余長の始末作業時に光ケーブル収納部から融着トレーを引き出した後の空間に挿入され、また、作業用トレーの他方の板は作業対象の融着トレーが取り付けられるようにしたことを特徴とする通過心線収納型の光通信ケーブル用クロージャ。
【請求項２】
請求項１記載の通過心線収納型の光通信ケーブル用クロージャにおいて、
不使用時の作業用トレーを保管するホルダを光ケーブル収納部に設けたことを特徴とする通過心線収納型の光通信ケーブル用クロージャ。
【請求項３】
請求項１または２記載の通過心線収納型の光通信ケーブル用クロージャにおいて、
光ケーブル挿通部のうち１対の通過型光ケーブルを挿通させる部分は、両光ケーブルにスリット入りの筒状の端面ゴムパッキンを被せ、その外側を２つ割りのケーブルクリップで挟み込んだ後、締めつけ手段を用いてケーブルクリップを一体化してから、前記エンドプレートの挿通孔部分にシール材を介して前記ケーブルクリップを当接し、次いで固定手段を用いてケーブルクリップをエンドプレートに固定したことを特徴とする通過心線収納型の光通信ケーブル用クロージャ。
【請求項４】
請求項１，２または３記載の通過心線収納型の光通信ケーブル用クロージャにおいて、
光ケーブル挿通部のうち通過心線以外の分岐用光ケーブルを挿通させる部分は、光ケーブルに筒状の端面ゴムパッキンを被せ、その外側および一方の端面をケーブルブランクブラケットに支持させてから、前記エンドプレートの挿通孔部分にシール材を介して前記ケーブルブランクブラケットを当接し、次いで固定手段を用いてケーブルブランクブラケットをエンドプレートに固定したことを特徴とする通過心線収納型の光通信ケーブル用クロージャ。
【請求項５】
請求項１，２，３または４記載の通過心線収納型の光通信ケーブル用クロージャにおいて、
光ケーブル挿通部を通過してエンドプレート内側にある光ケーブルを両側から挟み込む２枚の把持板と、これら２枚の把持板を支持する２本のボルトと、一方の把持板の両側に連接して設けられる長孔ブラケットと、を有し、エンドプレートに対して長孔ブラケットでの取付位置を変えて移動自在に保持することで長孔ブラケットの長軸方向に光ケーブルを誘導するガイド機構として機能させる分岐ケーブル把持金具を備えたことを特徴とする通過心線収納型の光通信ケーブル用クロージャ。
【発明の詳細な説明】
【０００１】
【発明の属する技術分野】
本発明は、ケーブルの出入り口を片方に集中させた通過心線（通過型光ケーブル）収納型の光通信ケーブル用クロージャに関する。
【０００２】
【従来の技術】
従来の通過心線収納型の光通信ケーブル用クロージャは、ケーブルの通過方向に沿って配置されて両端にケーブルの出入り口が配置される構造をしていた。
【０００３】
【発明が解決しようとする課題】
しかしながら、用途により、例えば鉄道線路に光ケーブルを敷設するような場合は、敷地の制限や保守管理の都合等のため、従来の両端に出入り口を形成したクロージャよりも、一端のみにケーブルの出入り口を集中させたクロージャにした方が都合がよい場合があった。そこで、本発明は、ケーブルの出入り口を片方に集中させた通過心線収納型の光通信ケーブル用クロージャを提案することを課題とした。
【０００４】
【課題を解決するための手段】
上記課題を解決するために、請求項１の発明は、外形円形で内側に通過型光ケーブルおよび分岐用光ケーブルを挿通させる光ケーブル挿通部が形成されたエンドプレートと、このエンドプレートの片側に一体的に形成されて、エンドプレートの中心軸方向と交差する方向に出し入れ自在に複数の融着トレーを積層するようになされ、この融着トレーに光ケーブルの接続部および余長部を収納する光ケーブル収納部と、内部に前記光ケーブル収納部が収容される有底円筒であって、開口端部に前記エンドプレートとほぼ同径のフランジを形成したカバーと、前記カバーのフランジを前記エンドプレートにシール材を介して当接した後、断面コ字状をしたリングカバーにより外周部を覆い、次にリングカバーを周方向に締めつけてカバーとエンドプレートを一体化する一体化手段と、二枚の板を蝶番により連結して折り畳み可能に構成した作業用トレーと、を備え、作業用トレーの一方の板は光ケーブルの接続作業時または余長の始末作業時に光ケーブル収納部から融着トレーを引き出した後の空間に挿入され、また、作業用トレーの他方の板は作業対象の融着トレーが取り付けられるようにしたことを特徴とする。
【０００５】
請求項２の発明は、請求項１の発明において、不使用時の作業用トレーを保管するホルダを光ケーブル収納部に設けたことを特徴とする。
【０００６】
請求項３の発明は、請求項１または２の発明において、光ケーブル挿通部のうち１対の通過型光ケーブルを挿通させる部分は、両光ケーブルにスリット入りの筒状の端面ゴムパッキンを被せ、その外側を２つ割りのケーブルクリップで挟み込んだ後、締めつけ手段を用いてケーブルクリップを一体化してから、前記エンドプレートの挿通孔部分にシール材を介して前記ケーブルクリップを当接し、次いで固定手段を用いてケーブルクリップをエンドプレートに固定したことを特徴とする。
【０００７】
請求項４の発明は、請求項１，２または３の発明において、光ケーブル挿通部のうち通過心線以外の分岐用光ケーブルを挿通させる部分は、光ケーブルに筒状の端面ゴムパッキンを被せ、その外側および一方の端面をケーブルブランクブラケットに支持させてから、前記エンドプレートの挿通孔部分にシール材を介して前記ケーブルブランクブラケットを当接し、次いで固定手段を用いてケーブルブランクブラケットをエンドプレートに固定したことを特徴とする。
【０００８】
請求項５の発明は、請求項１，２，３または４の発明において、光ケーブル挿通部を通過してエンドプレート内側にある光ケーブルを両側から挟み込む２枚の把持板と、これら２枚の把持板を支持する２本のボルトと、一方の把持板の両側に連接して設けられる長孔ブラケットと、を有し、エンドプレートに対して長孔ブラケットでの取付位置を変えて移動自在に保持することで長孔ブラケットの長軸方向に光ケーブルを誘導するガイド機構として機能させる分岐ケーブル把持金具を備えたことを特徴とする。
【００１１】
【発明の実施の形態】
以下、図に沿って本発明の実施形態を説明する。
図１は本発明に係るクロージャの実施形態の分解斜視図であり、図２が図１の要部の拡大図である。図において、１はエンドプレートであり、内側に通過型の光ケーブル２，３およびそれ以外の分岐用の光ケーブル４〜７が挿通および保持されている。エンドプレート１の裏側には、光ケーブルの余長部を収納する収納部８が形成されている。この収納部８は、有底円筒からなるカバー９により覆われる。カバー９はカバーシールパッキン１１を介してエンドプレート１に当接され、その周囲をカバーリング１２Ａ，１２Ｂが覆うことで、エンドプレート１に固定される。
【００１２】
図３は、エンドプレート１に光ケーブル２〜７を挿通および固定する際に使用される各部材を示した分解斜視図である。図４は図３の一部をさらに分解して示した分解斜視図である。ここで図３および図４を参照しながら、通過型の光ケーブル２，３の保持構造について説明する。図４において、通過型の光ケーブル２，３に、スリット入りの端面ゴムパッキン１３を被せ、それを２つ割りのケーブルクリップ１４Ａ，１４Ｂで挟み込む。ケーブルクリップ１４Ａ，１４Ｂは、互いに組み込まれた状態で、端面ゴムパッキン１３を収納する円筒を２個並べた形状となり、その外側の軸方向と交差する平面内にフランジ部１４ａが形成されている。フランジ部１４ａの外周部には、取り付け孔１４ｂが形成されている。
【００１３】
合体したケーブルクリップ１４Ａ，１４Ｂをさらにボルト１５で締めつけることで、ケーブルクリップ１４Ａ，１４Ｂに光ケーブル２，３が気密に保持される。次いで、図３のエンドプレート１の下部に形成されている繭玉形状のケーブル挿通孔１６内に光ケーブル２，３（図示せず）が押し込まれる。孔１６内の手前側周囲に一段広い取り付け溝が形成されており、そこへシールテープ１７を挿入しながら、ケーブルクリップ１４を装着する。次いで、フランジ部１４ａをエンドプレート１に当接した状態でねじ止めして、光ケーブル２，３の保持を終了する。これにより、通過型光のケーブル２，３は、エンドプレート１に対して気密に保持される。
【００１４】
次に、分岐用の光ケーブル４〜７の保持構造について説明する。図３において、エンドプレート１の光ケーブル５が挿通される部分には、奥が狭くなった段付き孔１８が形成されていて、ここへ、ケーブル５（図示せず）を挿入しながら、シールテープ１９、端面ゴムパッキン２１、ケーブルブランクブラケット２２の順で装着して、ブラケット２２をエンドプレート１に当接させた状態でねじ止めして、ケーブル５の保持を終了する。これにより、光ケーブル５は、エンドプレート１に対して気密に保持される。他の光ケーブル４，６，７についても同様な手順で保持される。なお、ブラケット２２は、中央にケーブル５を通す孔が形成され、その周囲部分で端面ゴムパッキン２１の端面と外周を押さえる形状に形成され、さらにその外側に３個の脚２２ａおよび取り付け孔２２ｂが形成されている。
ここで、ケーブル挿通孔１６、端面ゴムパッキン１３、ケーブルクリップ１４A,１４B、シールテープ１７、段付き孔１８、シールテープ１９、端面ゴムパッキン２１、ブラケット２２等は、請求項における光ケーブル挿通部を構成している。
【００１５】
次に、図１、図２および図５を参照しながらカバー９とエンドプレート１との取り付けについて説明する。図５は、カバー９がエンドプレート１に取り付けられた状態であって、一方のカバーリング１２Ｂが外された状態を示している。これらの図において、カバー９の開口側の端部に、エンドプレート１と同径のフランジ９ａが形成されている。このフランジ９ａをカバーシールパッキン１１を介してエンドプレート１に当接し、その外側を、断面コ字状に形成されて互いにピン結合された２個のカバーリング１２Ａ，１２Ｂを巻き付け、互いの端部をねじ２４で回転方向に締めつけることで、カバー９とエンドプレート１とが気密状態で一体的に固定される。
【００１６】
次に、図６を参照しながらエンドプレート１の裏側のテンションメンバ把持部について説明する。図６は、カバー９を外した状態のエンドプレート１の裏側を示す斜視図である。図において、エンドプレート１に挿通された通過型の光ケーブル２，３は、エンドプレート１と一体のメインケーブル把持金具２５によりその外側部分が固定される。さらに、光ケーブル２，３のテンションメンバ部分が、メインケーブルテンションメンバ把持金具２６により把持される。
【００１７】
同様に、エンドプレート１に挿通されて通過型の光ケーブル２，３と融着接続されたうえで分岐される分岐用の光ケーブル４〜７は、エンドプレート１に支持されている分岐ケーブル把持金具２７〜３０によりその外側部分が固定される。さらに、それらのテンションメンバ部分が、分岐ケーブルテンションメンバ把持金具３１〜３４により把持される。なお、図中の３５は作業用トレーホルダであり、３６はフレームである。
【００１８】
図７は、図６の分岐ケーブル把持金具２７を拡大して示した分解斜視図である。把持金具２７は、内側のケーブルとの当接部を鬼目プレートとした２枚の把持板５１，５２を、２本のボルト５３，５４で間隔調整自在に支持したものであり、下側の把持板５２の側面両側に１対の長孔ブラケット５５，５６が設けられており、このガイド機構であるところの長孔ブラケット５５，５６を図示しないエンドプレート１にスライド自在に取り付けることで、２枚の把持板５１，５２を締めつけた状態でケーブルの半径方向に往復動が自在となり、実際の光ケーブル５を固定する際に、ケーブルの径の大小にかかわらず常にセンタに合わせられることになる。他の把持金具２８〜３０についても同様な構成である。
【００１９】
次に、図１および図８を参照しながらエンドプレート１の裏側の収納部について説明する。図８は、カバー９を取り外した状態のエンドプレート１の裏側を示す斜視図である。これらの図において、エンドプレート１の裏側のフレーム３６の延長上に、一定間隔で溝が形成されている左右のサイドプレート３７，３８を組み合わせて、複数の融着トレー３９を一定間隔で積層して収納する収納部８が形成されている。
【００２０】
融着トレー３９は、この収納部８に対してやや斜め上方すなわち軸方向と交差する方向から抜き差し自在であり、抜き取った跡に、図９に示す作業用トレー４１を装着することが可能である。作業用トレー４１は、融着トレー３９と同一幅の板４２とそれよりも狭い板４３とを蝶番４４で連結して、可動範囲を１８０度よりも若干大きくしたものである。図では、板４３を、時計回りに起こして、突起４５を上面にしている。この突起４５は、その上に融着トレー３９をセットする際に、融着トレー３９と係合して融着トレー３９を固定するためのものである。
【００２１】
こうして、作業のために抜き取った融着トレー３９の跡に、作業用トレー４１を挿入し、その上に、抜き取った融着トレー３９を装着して融着接続等の作業をするようにすると、融着トレー３９上での光ケーブルの接続や余長の始末等の作業が容易になるとともに作業能率も向上する。次いで、作業が終了したら、作業用トレー４１を除去して、そこへ作業の済んだ融着トレー３９を戻す。また、除去した作業用トレー４１は、使用しない間、折り畳んで作業用トレーホルダ３５に収納しておく。それにより作業用トレー４１の不使用時の紛失が防止される。
【００２２】
【発明の効果】
以上述べたように本発明によれば、１対の通過型光ケーブルおよび他の分岐用光ケーブルをエンドプレートの片面で出入りさせるように構成したことで、クロージャの配置に制限を受けて一端のみにケーブルの出入り口が集中した方が好都合の鉄道線路に敷設される光ケーブルのような場合に、最適な光通信ケーブル用クロージャを提供することができる。
【図面の簡単な説明】
【図１】本発明に係るクロージャの実施形態の分解斜視図である。
【図２】図１の要部の拡大図である。
【図３】図２の一部を分解して示した分解斜視図である。
【図４】図３の一部をさらに分解して示した分解斜視図である。
【図５】カバーがエンドプレートに取り付けられた状態の外観図である。
【図６】カバーを外した状態のエンドプレートの裏側を示す斜視図である。
【図７】図６の分岐ケーブル把持金具を拡大して示した分解斜視図である。
【図８】カバーを外した状態のエンドプレートの裏側を示す斜視図である。
【図９】作業用トレーの斜視図である。
【符号の説明】
１  エンドプレート
２，３  通過型の光ケーブル
４〜７  分岐用の光ケーブル
８  収納部
９  カバー
９ａ  フランジ
１１  カバーシールパッキン
１２Ａ，１２Ｂ  カバーリング
１３  端面ゴムパッキン
１４Ａ，１４Ｂ  ケーブルクリップ
１４ａ  フランジ部
１５  ボルト
１６  ケーブル挿通孔
１７  シールテープ
１８  段付き孔
１９  シールテープ
２１  端面ゴムパッキン
２２  ケーブルブランクブラケット
２４  ねじ
２５  メインケーブル把持金具
２６  メインケーブルテンションメンバ把持金具
２７〜３０  分岐ケーブル把持金具
３１〜３４  分岐ケーブルテンションメンバ把持金具
３５  作業用トレーホルダ
３６  フレーム
３７，３８  サイドプレート
３９  融着トレー
４１  作業用トレー
４２，４３  板
４４  蝶番
４５  突起
５１，５２  把持板
５３，５４  ボルト
５５，５６  長孔ブラケット
【図１】
0004152045.tif 000002
【図２】
0004152045.tif 000003
【図３】
0004152045.tif 000004
【図４】
0004152045.tif 000005
【図５】
0004152045.tif 000006
【図６】
0004152045.tif 000007
【図７】
0004152045.tif 000008
【図８】
0004152045.tif 000009
【図９】
0004152045.tif 000010